(57)【要約】【課題】各種電子機器の入力操作部等に使用される分散型ＥＬ素子およびそれを用いた照光式スイッチユニットに関し、薄型のものを提供する。【解決手段】仮基材２１上に、順次重ねて印刷形成されたショートバー接点３１、絶縁層４２、背面電極層４３、誘電体層４４、発光体層４５、光透過性電極層４６、保護用絶縁層４７を、使用時に一体で上記仮基材２１上から剥がして基材レスの分散型ＥＬ素子４１とし、それをショートバー接点３１に対応する櫛歯接点６１を備えた配線板７１に貼り合わせて照光式スイッチユニット５１に構成するようにしたため、薄型構成のものが容易に得られる。【選択図】図１
2006059670.tif 000002
【特許請求の範囲】
【請求項１】
印刷後剥離可能な仮基材上に、印刷により順次、ショートバー接点、絶縁層、背面電極層、誘電体層、発光体層、光透過性電極層が重ねて形成され、使用時に上記積み重ね形成された各機能層を一体で上記仮基材上から剥がして使用する構成とした分散型ＥＬ素子。
【請求項２】
絶縁層と背面電極層の間に、印刷形成されたシールド層と第２の絶縁層とをさらに有する請求項１記載の分散型ＥＬ素子。
【請求項３】
ショートバー接点の周囲に、印刷により構成した粘着材層を備えた請求項１記載の分散型ＥＬ素子。
【請求項４】
光透過性電極層の上面に、印刷形成された光透過性の保護用絶縁層を有する請求項１記載の分散型ＥＬ素子。
【請求項５】
光透過性電極層の上部における所定部分以外の箇所に光不透過性の印刷層が形成された請求項１記載の分散型ＥＬ素子。
【請求項６】
請求項１記載の分散型ＥＬ素子を仮基材から剥離し、ショートバー接点に対応する櫛歯接点を備えた配線板に対し、上記接点どうしが対向状態になるように配して構成した照光式スイッチユニット。
【請求項７】
請求項３記載の分散型ＥＬ素子を仮基材から剥離し、ショートバー接点に対応する櫛歯接点を備えた配線板に対し、絶縁スペーサを介在させて上記接点どうしが対向状態になるように、上記分散型ＥＬ素子の下面に露出した粘着材層を上記絶縁スペーサに粘着させて構成した照光式スイッチユニット。
【発明の詳細な説明】
【技術分野】
【０００１】
本発明は、各種電子機器の入力操作部等に使用される分散型ＥＬ素子およびそれを用いた照光式スイッチユニットに関するものである。
【背景技術】
【０００２】
以下に、従来の分散型ＥＬ素子（以下ＥＬ素子と表わす）およびそれを用いた照光式スイッチユニット（以下、スイッチユニットと表わす）について図７および図８を用いて説明する。
【０００３】
図７は、従来のＥＬ素子の断面図であり、当該従来のＥＬ素子１は、同図に示すように、厚さ約１００μｍの透明樹脂フィルムからなる絶縁基材２の裏面にスパッタ法等の薄膜形成技術によって透明電極層３を形成し、その上に発光体層４、誘電体層５、背面電極層６、絶縁層７を順次積層して構成されている。なお、図７等の断面図は、判り易くするため、厚み方向側を拡大した表記としている。
【０００４】
上記構成の絶縁基材２付きのＥＬ素子１は、透明電極層３と背面電極層６との間に駆動回路（図示せず）を介して交流電圧または直流パルス電圧を印加すると、発光体層４内の蛍光体が発光し、その光をＥＬ素子１の発光面側となる絶縁基材２側に透過させて照光させるものであった。
【０００５】
上記構成の絶縁基材２付きのＥＬ素子１を用いた従来のスイッチユニット８の断面図を図８に示す。
【０００６】
同図に示すように、当該スイッチユニット８は、下面に可動接点１０が印刷形成された樹脂フィルムよりなる厚さ約１００μｍの上絶縁基板９と、上面に固定接点１２が印刷形成された樹脂フィルムよりなる下絶縁基板１１とが、可動接点１０と固定接点１２間に所定の間隔を保って対向するように、スペーサ１３の上下に各々粘着固定されて構成されたメンブレンスイッチ部１４を有している。
【０００７】
そして、メンブレンスイッチ部１４とは独立した駆動回路を有する上記絶縁基材２付きのＥＬ素子１（総厚約０．３ｍｍ）が、上記メンブレンスイッチ部１４上に位置決め配置され、さらに、そのＥＬ素子１の上部には、スペーサ１８を介して表面シート１７が配されている。そして、上記メンブレンスイッチ部１４における個々のスイッチ部の位置に合わせて、表面シート１７の下面に粘着材１６で押ボタン１５が粘着固定されている。押ボタン１５の下端面は、ＥＬ素子１上に当接しており、それらで従来のスイッチユニット８は構成されている。
【０００８】
上記構成の従来のスイッチユニット８は、表面シート１７の上から指などで押し下げ操作をすると、その下面部分に配された押ボタン１５が下がってＥＬ素子１を押圧していき、押圧を受けた部分の基材２付きのＥＬ素子１が部分的に撓んでいくと共に、その下方に配されたメンブレンスイッチ部１４における上絶縁基板９も同様に部分的に撓んでいく。これにより、上絶縁基板９の可動接点１０が押し下げられて、その下面が下絶縁基板１１の固定接点１２に当接することにより、可動接点１０と固定接点１２とが電気的接続状態のスイッチＯＮ状態となる。
【０００９】
そして、上記操作力を除くと、上絶縁基板９や基材２付きのＥＬ素子１は自らの復元力で元の位置に戻って、図８に示したスイッチＯＦＦ状態に戻るものであった。
【００１０】
なお、この出願の発明に関連する先行技術文献情報としては、例えば、特許文献１が知られている。
【特許文献１】特開平１０−１０６７５４号公報
【発明の開示】
【発明が解決しようとする課題】
【００１１】
近年、機器の小型薄型化が進展する中で、上記構成のＥＬ素子１やそれを用いたスイッチユニット８への要望として、特に薄型化への要望が高く、本出願人は、上記要望対応のために、分散型ＥＬ素子を用いて構成される照光式スイッチユニットの薄型化構造の検討や提案などを行っている。
【００１２】
本発明は、上記従来の課題を解決するものであり、厚み方向の薄型化が図れる構成とした分散型ＥＬ素子およびそれを用いた照光式スイッチユニットを提供することを目的とする。
【課題を解決するための手段】
【００１３】
上記目的を達成するために本発明は、以下の構成を有する。
【００１４】
本発明の請求項１に記載の発明は、印刷後剥離可能な仮基材上に、印刷により順次、ショートバー接点、絶縁層、背面電極層、誘電体層、発光体層、光透過性電極層が重ねて形成され、使用時に上記積み重ね形成された各機能層を一体で上記仮基材上から剥がして使用する構成とした分散型ＥＬ素子としたものであり、分散型ＥＬ素子としての機能層部分を仮基材から一体で剥がして使用する構成としたため、従来構成のものに対しＥＬ素子の絶縁基材分に相当する厚みの薄型化が図れた状態で使用できるものが実現できるという作用を有する。また、上記仮基材から剥がすと、ショートバー接点が露出するため、それに適合する固定接点を備えた配線板に上記接点どうしを対向させるようにして配するのみで、薄型のスイッチ部が構成でき、しかも機器への装着前までは、上記ショートバー接点部は仮基材で保護された状態に維持できるので、高品質のものが容易に構成できるという作用も有する。
【００１５】
請求項２に記載の発明は、請求項１記載の発明において、絶縁層と背面電極層の間に、印刷形成されたシールド層と第２の絶縁層とをさらに有するものであり、ＥＬから発生するノイズや静電気が、ショートバー接点を用いて構成されるスイッチ部側に漏洩しにくいものにできるという作用を有する。
【００１６】
請求項３に記載の発明は、請求項１記載の発明において、ショートバー接点の周囲に、印刷により構成した粘着材層を備えたものであり、その粘着材層を用いて、ショートバー接点に対応する櫛歯接点が構成された配線板等に貼り合わせるという少ない工数のみで、当該分散型ＥＬ素子の下方に薄型のスイッチ部が配設されたものに構成できるという作用を有する。
【００１７】
請求項４に記載の発明は、請求項１記載の発明において、光透過性電極層の上面に、印刷形成された光透過性の保護用絶縁層を有するものであり、光透過性電極層の保護が図れると共に、照光スイッチユニットとして組み込んだ際、押圧操作後に、保護用絶縁層による復元動作力の補強作用も得られるという作用を有する。
【００１８】
請求項５に記載の発明は、請求項１記載の発明において、光透過性電極層の上部における所定部分以外の箇所に光不透過性の印刷層が形成されたものであり、所望部分のみが照光できる薄型構成のものが得られるという作用を有する。
【００１９】
請求項６に記載の発明は、請求項１記載の分散型ＥＬ素子を仮基材から剥離し、ショートバー接点に対応する櫛歯接点を備えた配線板に対し、上記接点どうしが対向状態になるように配して構成した照光式スイッチユニットとしたものであり、薄型のものを容易に実現できるという作用を有する。
【００２０】
請求項７に記載の発明は、請求項３記載の分散型ＥＬ素子を仮基材から剥離し、ショートバー接点に対応する櫛歯接点を備えた配線板に対し、絶縁スペーサを介在させて上記接点どうしが対向状態になるように、上記分散型ＥＬ素子の下面に露出した粘着材層を上記絶縁スペーサに粘着させて構成した照光式スイッチユニットであり、絶縁スペーサとして、絶縁フィルムを所定形状に打ち抜き形成したものや配線板上に一体形成されたものを介在させて、ショートバー接点と櫛歯接点とを対向配置させると、各機能層のみの積み重ね構成とされた当該分散型ＥＬ素子であっても、スイッチ接点部間の間隔が安定して維持されたものにでき、しかも当該分散型ＥＬ素子に一体形成され、仮基材から剥がすと露出する粘着材層を用いて、絶縁スペーサへの粘着固定を行う当該構成のものであれば、その粘着固定に際する作業工数も少なくて済むという作用を有する。
【発明の効果】
【００２１】
本発明の分散型ＥＬ素子およびそれを用いた照光式スイッチユニットは、剥離可能な仮基材上に、積み重ね構成している分散型ＥＬ素子の各機能層を一体で仮基材から剥がして基材レスで使用する構成であると共に、上記仮基材上にあたる当該ＥＬ素子の下面側にショートバー接点を一体形成し、上記引き剥がし状態で、そのショートバー接点が露出する構成であるため、引き剥がした当該ＥＬ素子を、対応する配線板に装着するのみで薄型の照光式スイッチユニットを容易に構成できるという効果を奏するものである。
【発明を実施するための最良の形態】
【００２２】
以下、本発明の実施の形態について、図１〜図６を用いて説明する。
【００２３】
（実施の形態）
図１は、本発明の一実施の形態による仮基材上に形成されたショートバー接点付きの分散型ＥＬ素子（以下、ＥＬ素子と記載する。）の断面図、図２は、同ＥＬ素子が仮基材上に所定ピッチで構成された状態を示す斜視図である。なお、図１を含め、以下の各断面図においても、判り易くするため、従来同様に厚み方向側を拡大した表記としている。
【００２４】
同図において、２１は、上面が剥離処理されたＰＥＴなどからなるフープ状の仮基材であり、そのフープ状の長手方向に所定ピッチで、上面側に、ショートバー接点３１とＥＬ素子４１を構成する各機能層がスクリーン印刷法などによって重ね印刷されて構成されている。
【００２５】
その量ね印刷部分の個々の構成について詳細に説明すると、仮基板２１の剥離処理された上面に重ねて、所定形状に設定されたショートバー接点３１が、導電ペーストを用いて印刷形成されていると共に、ショートバー接点３１の外周から所定間隔を空けた周囲部分には、ショートバー接点３１を含むようにしてリング状に粘着材層３２が印刷形成されている。
【００２６】
そして、４２は、ショートバー接点３１および粘着材層３２上面を覆うように形成された絶縁層で、ショートバー接点３１および粘着材層３２が形成された箇所以外の絶縁層４２下面部分は、仮基材２１の上面に重ねて形成されている。
【００２７】
また、その絶縁層４２上に重ねて、背面電極層４３、誘電体層４４、発光体層４５、光透過性電極層４６、光透過性の保護用絶縁層４７がスクリーン印刷で順次積み重ねて各々印刷形成されている。なお、各機能層における詳細な説明は省略する。
【００２８】
当該ＥＬ素子４１は、上記のように仮基材２１上面に印刷形成された絶縁層４２および、それより上方に印刷形成された各機能層で構成され、その動作としては、背面電極層４３と光透過性電極層４６との間に駆動回路（図示せず）を介して交流電圧または直流パルス電圧を印加して、発光体層４５内の蛍光体を発光させ、その光を光透過性の保護用絶縁層４７側に透過させて照光させる構成のものである。
【００２９】
そして、上記構成の仮基材２１上に構成されたショートバー接点３１付きのＥＬ素子４１は、使用時において、仮基材２１からショートバー接点３１を含む各機能層のみが積み重なった一体状態で引き剥がして基材レス状態で使用する。このとき、仮基材２１は、上面側に剥離処理が施されているため、上記引き剥がし時における作業性は良好である。
【００３０】
上記引き剥がし後のショートバー接点３１付きのＥＬ素子４１を用いると、薄型構成の照光式スイッチユニット（以下、スイッチユニットと記載する。）を容易に構成することができ、続いて、そのスイッチユニットについて、図３の断面図および図４の分解斜視図を用いて説明する。
【００３１】
同図に示すように、当該スイッチユニット５１は、仮基材２１から引き剥がしたショートバー接点３１付きのＥＬ素子４１（総厚は、略１００μｍ程度）を、ショートバー接点３１に対応する櫛歯接点６１が上面に設けられた配線板７１に重ね合わせて構成される。
【００３２】
その配置としては、ショートバー接点３１と櫛歯接点６１とが上下方向で所定間隔を維持する対向状態で位置を合わせ、ＥＬ素子４１の下面に露出したリング状の粘着材層３２の下面を、配線板７１上に配された絶縁スペーサ７２上に貼り合わせて構成する。なお、図３の断面図においては、判り易い記載とするために、上記櫛歯接点６１を模式的に図示している。
【００３３】
そして、上記粘着材層３２は、個々のショートバー接点３１毎に、周囲を囲むリング状で予め形成してあり、かつＥＬ素子４１を仮基材２１から剥がすと露出する構成としてあるので、その貼り付け作業などは良好に行うことができる。また、その絶縁スペーサ７２の高さ設定を適宜行うことにより、各機能層のみの積み重ね構成とされる当該ＥＬ素子４１であっても、ショートバー接点３１と櫛歯接点６１との間の接点間隔が安定して維持されたものにできる。
【００３４】
なお、絶縁スペーサ７２としては、図３に示すように、櫛歯接点６１に応じた位置が開口状態に形成された絶縁フィルムそのものを配線板７１上に位置決め配置したものとしても良いし、絶縁ペーストなどで配線板７１上に一体形成したもの等であってもよい。なお、その絶縁フィルムそのもので構成した絶縁スペーサ７２の場合には、櫛歯接点６１の周囲を囲むように、その下面を配線板７１上に粘着固定して防塵性を向上させる構成とすることが好ましい。
【００３５】
そして、上記櫛歯接点６１は、一つのショートバー接点３１に対し、二つもしくはそれ以上の独立した配線部分からの延出部が各々櫛歯状に形成され、かつそれらの櫛歯状部分６１Ａどうしを電気的独立状態で並設した構成のものである。
【００３６】
なお、ショートバー接点３１も、粘着材層３２と同様に、上述構成のスイッチユニット５１に組み込まれる前までは、仮基材２１の上面で覆われた形態であるため、これらのショートバー接点３１と粘着材層３２に対し、余分な塵埃の付着などが少なく、高品質で防塵性に優れた個々のスイッチ部を備えたスイッチユニット５１に容易に構成できる。
【００３７】
また、当該ＥＬ素子４１における絶縁層４２の下面側に直接露出状態で配されたショートバー接点３１を、個々のスイッチ部における対向接点の一方として構成できるため、スイッチユニット５１の薄型化にも寄与できる。
【００３８】
次に、以上のように構成された本発明によるＥＬ素子４１を用いたスイッチユニット５１の動作について説明する。
【００３９】
まず、ＥＬ素子４１の背面電極層４３と光透過性電極層４６間に所定電圧を印加すると、上述したように発光体層４５の蛍光体が発生し、その光は、当該スイッチユニット５１の上方にあたる保護用絶縁層４７側から透過して照光される。なお、その発光色の設定は、発光体層４５に分散させる蛍光体の種類などを適宜設定したり、光透過性電極層４６または保護用絶縁層４７に対し、光透過性を維持しつつ着色するなどの方法を用いると所望の発光色のものにできる。
【００４０】
次に、ショートバー接点３１の配設箇所にあたるＥＬ素子４１の上面部分に対し、図５の断面図に矢印で示すように、上方から指などで押し下げ操作を行うと、当該箇所が部分的に下方に撓む。このとき、ＥＬ素子４１の各層は、スクリーン印刷によって形成しているため、樹脂分を多く含有し、操作性などは良好である。また、個々のスイッチ部の接点部間隔として２０〜１００μｍなどの短ストロークのものに設定しておけば、ＥＬ素子４１の各機能層への負担が軽減される。
【００４１】
そして、上記押し下げ操作に伴って下方に下がったショートバー接点３１が、櫛歯接点６１に接触して、電気的独立状態で配設されている櫛歯状部分６１Ａ間を電気的に接続させスイッチＯＮ状態とする。
【００４２】
その操作力を除くと、ＥＬ素子４１の撓んだ部分が、自らの復元力で元の上方位置に戻り、ショートバー接点３１が櫛歯状部分６１Ａから離れ、櫛歯接点６１は、櫛歯状部分６１Ａ間が電気的独立状態のスイッチＯＦＦ状態に戻る。
【００４３】
なお、上記構成のように、光透過性電極層４６の上方に保護用絶縁層４７を配したものとすると、押し下げ操作時において光透過性電極層４６が保護できる。また、保護用絶縁層４７を形成しておくと、押圧操作後における復元力の補強効果も得られ好ましい。さらには、保護用絶縁層４７に表示等を設けておくと、操作性向上にもつながる。
【００４４】
なお、ＥＬ素子４１の各機能層を構成するバインダー用の樹脂としては、所望の輝度などのＥＬ特性が得られると共に、上記スイッチング時における動作耐久性なども併せ持つべく材料選択をすることが重要である。また、上記操作後におけるＥＬ素子４１の復元特性も、上記樹脂の依存度合いが大きいので、これも上記樹脂の選定条件として考慮する必要がある。
【００４５】
以上のように、当該スイッチユニット５１は、ＥＬ素子４１自体が、基材のない各機能層のみの積み重ね構成の薄型で、かつ個々のスイッチ部を構成する対向接点の一方をＥＬ素子４１の下面に配設したものを用いて構成するものであるため、薄型構成のものが容易に実現できる。
【００４６】
また、ショートバー接点３１と粘着材層３２は、ＥＬ素子４１のスイッチユニット５１への組み込み前まで仮基材２１上面で覆われた保護状態であるため、それらへの塵埃などの付着も大きく低減でき、スイッチユニット５１とした際に、個々のスイッチ部として防塵性などに優れたものに構成できる。また、仮基材２１上面を剥離処理した面として、その上面にショートバー接点３１と粘着材層３２を構成したものを用いるため、上記ＥＬ素子４１の引き剥がし後におけるショートバー接点３１と粘着材層３２の表面状態も良好な状態が維持され、薄型で高品質な個々のスイッチ部が容易に構成されたものにできる。
【００４７】
なお、保護用絶縁層４７として、所定部分のみを光透過性のものとし、それ以外の残部を光不透過性の印刷層で形成すると所望箇所のみが照光可能なものに構成できる。また、保護用絶縁層４７の形成箇所は任意の箇所であってもよく、個々のスイッチ部に応じた箇所に対し、保護用絶縁層４７を形成しない構成とする場合には、絶縁体のボタンなどを介在させてスイッチ操作が可能な構成とすればよい。このときには、光透過性電極層４６上を上記ボタンで直接操作する構成となるため、当該ボタンにおける光透過性電極層４６との当接面を、例えば大きな曲率の球面状などの形状にしておくことが好ましい。
【００４８】
そして、本発明によるＥＬ素子４１は、上記構成のみに限られるものではなく、例えば、静電対策を施したものなどへの応用展開を図ることも可能である。
【００４９】
その構成事例としては、図６の断面図に示すように、上述の図１のＥＬ素子４１に対し、シールド層８２と第２の絶縁層８３をさらに印刷により形成したＥＬ素子８１の構成とすればよい。なお、上述したＥＬ素子４１と同一構成部分は、同一符号を付す。
【００５０】
さらに、同図を用いて詳述すると、当該構成のＥＬ素子８１は、仮基材２１の上面に形成された絶縁層４２の上方に重ねて銀などの良導電性の導電ペーストを用いてスクリーン印刷でシールド層８２を全面に設け、かつ、そのシールド層８２上に重ねてスクリーン印刷で絶縁ペーストを用いて第２の絶縁層８３を全面で設けている。その第２の絶縁層８３上に、上述した背面電極層４３、誘電体層４４、発光体層４５、光透過性電極層４６、保護用絶縁層４７が順次重ねてスクリーン印刷で形成されている。
【００５１】
その他の部分は、上述のＥＬ素子４１の構成と同じであるため説明を省略する。また、当該ＥＬ素子８１の使用状態も上述のＥＬ素子４１と同じで、ＥＬ素子８１自身を仮基材２１から一体で引き剥がし、それをショートバー接点３１に応じた櫛歯接点６１を設けてある配線板７１に貼り合わせてスイッチユニットが構成できることなども上述のものと同様である。
【００５２】
そして、当該ＥＬ素子８１は、シールド層８２を有する構成であるため、上記スイッチユニットとして組み込んだ際に、そのシールド層８２の一端を配線板７１のアース部に電気的に接続させておくと、ＥＬ素子８１側から流入する静電気などをアースに落とす構成にでき、ＥＬ素子８１の下方に構成される個々のスイッチ部側への静電気の漏洩などがなくせる。
【００５３】
また、上記のように、シールド層８２を背面電極層４３よりも下側の配置位置に設けておくと、ＥＬ素子８１が駆動される際のノイズなども含んでアースに落とすことができ好ましい。
【００５４】
なお、本発明によるＥＬ素子は、上述したように使用時に基材レスの構成にでき薄形化のメリットがあるが、その基材分の絶縁介在物が少なくなる分、当該ＥＬ素子の下方に構成される個々のスイッチ部に外部からの静電気などの影響が加わることも考慮され、その対策を個々のスイッチ部で行うようにしてもよいが、当該ＥＬ素子８１であれば、その対策を容易に講じることができる。
【００５５】
なお、上記ＥＬ素子８１を用いて構成したスイッチユニットのスイッチング動作状態についても、上述のスイッチユニット５１の動作と同様であるため詳細な説明は省略するが、印刷形成されたシールド層８２や第２の絶縁層８３は、樹脂分をも含むため、上記スイッチング動作時におけるＥＬ素子８１の復元力の補強効果も増強されたものとなる。
【００５６】
なお、当該シールド層８２付きのＥＬ素子８１であっても、その使用状態としては、仮基材２１から各機能層のみが積み重なった一体状態で剥がして基材レス状態で使用するものであるため、静電対策が講じられた薄型のスイッチユニットが容易に実現できる。
【００５７】
そして、当該ＥＬ素子における他の変形事例としては、上記ＥＬ素子４１や８１に対し、多色発光などが可能なように第２の発光体層などをスクリーン印刷で付加形成したものなどとしてもよく、それを用いることによって、付加した機能層に応じた特性を有する薄型のスイッチユニットを構成することができる。
【００５８】
なお、上記には粘着材層３２をＥＬ素子４１，８１に一体形成した事例について詳述したが、ＥＬ素子側に粘着材層を形成しない構成としてもよい。この場合には、仮基材から引き剥がしたＥＬ素子を、両面テープなどを用いて、配線板や絶縁スペーサに貼り合わせればよい。また、同様にショートバー接点３１もＥＬ素子に一体形成していない構成に展開することも可能である。
【産業上の利用可能性】
【００５９】
本発明にかかる分散型ＥＬ素子およびそれを用いた照光式スイッチユニットは、剥離可能な仮基材上に、積み重ね構成としているＥＬ素子の各機能層を一体で仮基材から剥がして使用する構成とし、しかも上記引き剥がし状態で、ショートバー接点が露出する構成としてあるため、剥がした当該ＥＬ素子を、対応する配線板に配するのみで、薄型の照光式スイッチユニットが実現できるという効果を有し、各種電子機器の入力操作部等を構成する際等に有用である。
【図面の簡単な説明】
【００６０】
【図１】本発明の一実施の形態による仮基材上に形成されたショートバー接点付きの分散型ＥＬ素子の断面図
【図２】同分散型ＥＬ素子が仮基材上に所定ピッチで構成された状態を示す斜視図
【図３】同分散型ＥＬ素子を用いて構成した照光式スイッチユニットの断面図
【図４】同分散型ＥＬ素子と配線板の組み合わせ前の分解斜視図
【図５】同動作状態を示す断面図
【図６】同ＥＬ素子の変形事例を示す断面図
【図７】従来のＥＬ素子の断面図
【図８】同分散型ＥＬ素子を用いて構成した照光式スイッチユニットの断面図
【符号の説明】
【００６１】
２１  仮基材
３１  ショートバー接点
３２  粘着材層
４１，８１  分散型ＥＬ素子
４２  絶縁層
４３  背面電極層
４４  誘電体層
４５  発光体層
４６  光透過性電極層
４７  保護用絶縁層
５１  照光式スイッチユニット
６１  櫛歯接点
６１Ａ  櫛歯状部分
７１  配線板
７２  絶縁スペーサ
８２  シールド層
８３  第２の絶縁層
【図１】
2006059670.tif 000003
【図２】
2006059670.tif 000004
【図３】
2006059670.tif 000005
【図４】
2006059670.tif 000006
【図５】
2006059670.tif 000007
【図６】
2006059670.tif 000008
【図７】
2006059670.tif 000009
【図８】
2006059670.tif 000010